(57)【要約】課題は、クリック数が多くなる程、訴求力が増加するバナー広告の表示方法を提供することである。インターネットによりアクセスするホームページに画像と共に表示されたバナー広告のクリックされた回数を計数し、こめ回数が増す程、バナー広告を大きく表示する。
2002027574.tif 000002
【特許請求の範囲】
【請求項１】
ネットワークによりアクセスされるホームページに画像と共に所定のバナー広告を表示するステップと、
このステップにより表示されたバナー広告のクリックされた回数を計数するステップと、
このステップにより計数された回数が増す程、前記バナー広告を目につきやすい態様で表示するステップとから成ることを特徴とするバナー広告の表示方法。
【請求項２】
ネットワークによりアクセスされるホームページに画像と共に所定の大きさのバナー広告を表示するステップと、
このステップにより表示されたバナー広告のクリックされた回数を計数するステップと、
このステップにより計数された回数が増す程、前記バナー広告を大きく表示するステップとから成ることを特徴とするバナー広告の表示方法。
【請求項３】
ネットワークによりアクセスされるホームページに画像と共に所定のバナー広告を表示するステップと、
このステップにより表示されたバナー広告のクリックされた回数を計数するステップと、
このステップにより計数された回数が増す程、前記バナー広告の枠を目につきやすいように表示するステップとから成ることを特徴とするバナー広告の表示方法。
【請求項４】
ネットワークによりアクセスされるホームページに画像と共に所定の静止画のバナー広告を表示するステップと、
このステップにより表示されたバナー広告のクリックされた回数を計数するステップと、
このステップにより計数された回数が増した場合に、前記バナー広告を動画表示するステップとから成ることを特徴とするバナー広告の表示方法。
【請求項５】
ネットワークによりアクセスされるホームページに画像と共に所定のバナー広告を表示するステップと、
このステップにより表示されたバナー広告のクリックされた回数を計数するステップと、
このステップにより計数された回数が増す程、前記バナー広告を目につく位置に表示するステップとから成ることを特徴とするバナー広告の表示方法。
【請求項６】
前記バナー広告を目につく位置に表示するとは、画面上、下段よりも上段であることを特徴とする請求項５記載のバナー広告の表示方法。
【請求項７】
前記バナー広告を目につく位置に表示するとは、画面上、中央よりも左端又は右端であることを特徴とする請求項５記載のバナー広告の表示方法。
【請求項８】
ネットワークによりアクセスされるホームページに画像と共に所定のバナー広告を表示する手段と、
この手段により表示されたバナー広告のクリックされた回数を計数する手段と、
この手段により計数された回数が増す程、前記バナー広告を目につきやすい態様で表示する手段とから成ることを特徴とするバナー広告の表示システム。
【請求項９】
ネットワークによりアクセスされるホームページに画像と共に所定のバナー広告を表示するステップと、
このステップにより表示されたバナー広告のクリックされた回数を計数するステップと、
このステップにより計数された回数が少ない場合にその旨そのバナー広告の関係者に通知するステップと、
このステップにより通知を受けた関係者が追加料金を納付するときそのバナー広告を存続させるステップとから成ることを特徴とするバナー広告の表示方法。
【請求項１０】
ネットワークによりアクセスされるホームページに画像と共に所定のバナー広告を表示するステップと、
このステップにより表示されたバナー広告のクリックされた回数を計数するステップと、
このステップにより計数された回数が少ない場合にその旨そのバナー広告の関係者に通知するステップと、
このステップにより通知を受けた関係者が追加料金を納付しないとき他のバナー広告を表示するステップとから成ることを特徴とするバナー広告の表示方法。
【請求項１１】
バナー広告を希望する企業から所定の基本料金を徴集するステップと、
バナー広告を載せるサイトの運営企業に所定金額を支払うステップと、
前記バナー広告に対するクリック数の増加に応じてこのバナー広告を目につく態様で表示するステップとを備えて成ることを特徴とするバナー広告の料金徴集方法。
【請求項１２】
前記クリック数の増加に応じて前記バナー広告を希望する企業から追加料金を徴集するステップを更に有することを特徴とする請求項９記載のバナー広告の料金徴集方法。
【発明の詳細な説明】
技術分野
本発明は、インターネット等のネットワークのバナー広告の表示方法などに関する。
背景技術
最近、インターネットが爆発的に普及してきており、このインターネット特有の広告方法の１つとして小さな細長い帯状の画像をホームページなどの片隅に表示し、その画像をクリックすると関連するＵＲＬに移動してその広告企業のホームページをユーザに見せるバナー広告がある。
バナー広告は、ユーザが目的のホームページなどを表示したとき、その画面上にユーザの好みに拘わらず表示されるので、有効な広告方法ではあるが、表示サイズは自ずから限界があり、また、ユーザは広告を見るためにホームページを開くわけではないからバナー広告画面の総面積が大きくなると、ユーザに対する印象も悪くなり、バナー広告画面の面積もそれに応じて制限されることになる。したがって、狭い面積にできるだけ多くのバナー広告を表示することになるが、表示されるバナー広告の数が増える程、各広告のユーザに対する訴求力は減少してしまい、例えばＥＣビジネスの集客のためにバナー広告を用いてるとすると、ＥＣビジネスへの貢献度が減少してしまう。
上述のように、従来のバナー広告の表示方法では、広告数が増すと相対的に各広告の訴求力が減少してしまう問題がある。したがって、この発明は上記問題点を解決し、ユーザの関心がある程、すなわちクリック数が多くなる程、訴求力が増加するバナー広告の表示方法を提供することを目的とする。
発明の開示
本発明は、ホームページに載せられたバナー広告のクリック回数の増加に応じて、バナー広告を目につきやすい態様で表示する点に特徴がある。
上記目的を達成するために、本発明の請求項１によれば、ネットワークによりアクセスされるホームページに画像と共に所定のバナー広告を表示するステップと、このステップにより表示されたバナー広告のクリックされた回数を計数するステップと、このステップにより計数された回数が増す程、前記バナー広告を目につきやすい態様で表示するステップとから成ることを特徴とするバナー広告の表示方法を提供する。
本発明の請求項２によれば、ネットワークによりアクセスされるホームページに画像と共に所定の大きさのバナー広告を表示するステップと、このステップにより表示されたバナー広告のクリックされた回数を計数するステップと、このステップにより計数された回数が増す程、前記バナー広告を大きく表示するステップとから成ることを特徴とするバナー広告の表示方法を提供する。
本発明の請求項３によれば、ネットワークによりアクセスされるホームページに画像と共に所定のバナー広告を表示するステップと、このステップにより表示されたバナー広告のクリックされた回数を計数するステップと、このステップにより計数された回数が増す程、前記バナー広告の枠を目につきやすいように表示するステップとから成ることを特徴とするバナー広告の表示方法を提供する。
本発明の請求項４によれば、ネットワークによりアクセスされるホームページに画像と共に所定の静止画のバナー広告を表示するステップと、このステップにより表示されたバナー広告のクリックされた回数を計数するステップと、このステップにより計数された回数が増した場合に、前記バナー広告を動画表示するステップとから成ることを特徴とするバナー広告の表示方法を提供する。
本発明の請求項５によれば、ネットワークによりアクセスされるホームページに画像と共に所定のバナー広告を表示するステップと、このステップにより表示されたバナー広告のクリックされた回数を計数するステップと、このステップにより計数された回数が増す程、前記バナー広告を目につく位置に表示するステップとから成ることを特徴とするバナー広告の表示方法を提供する。
本発明の請求項６によれば、前記バナー広告を目につく位置に表示するとは、画面上、下段よりも上段であることを特徴とする請求項５記載のバナー広告の表示方法を提供する。
本発明の請求項７によれば、前記バナー広告を目につく位置に表示するとは、画面上、中央よりも左端又は右端であることを特徴とする請求項５記載のバナー広告の表示方法を提供する。
本発明の請求項８によれば、ネットワークによりアクセスされるホームページに画像と共に所定のバナー広告を表示する手段と、この手段により表示されたバナー広告のクリックされた回数を計数する手段と、この手段により計数された回数が増す程、前記バナー広告を目につきやすい態様で表示する手段とから成ることを特徴とするバナー広告の表示システムを提供する。
本発明の請求項９によれば、ネットワークによりアクセスされるホームページに画像と共に所定のバナー広告を表示するステップと、このステップにより表示されたバナー広告のクリックされた回数を計数するステップと、このステップにより計数された回数が少ない場合にその旨そのバナー広告の関係者に通知するステップと、このステップにより通知を受けた関係者が追加料金を納付するときそのバナー広告を存続させるステップとから成ることを特徴とするバナー広告の表示方法を提供する。
本発明の請求項１０によれば、ネットワークによりアクセスされるホームページに画像と共に所定のバナー広告を表示するステップと、このステップにより表示されたバナー広告のクリックされた回数を計数するステップと、このステップにより計数された回数が少ない場合にその旨そのバナー広告の関係者に通知するステップと、このステップにより通知を受けた関係者が追加料金を納付しないとき他のバナー広告を表示するステップとから成ることを特徴とするバナー広告の表示方法を提供する。
本発明の請求項１１によれば、バナー広告を希望する企業から所定の基本料金を徴集するステップと、バナー広告を載せるサイトの運営企業に所定金額を支払うステップと、前記バナー広告に対するクリック数の増加に応じてこのバナー広告を目につく態様で表示するステップとを備えて成ることを特徴とするバナー広告の料金徴集方法を提供する。
本発明の請求項１２によれば、前記クリック数の増加に応じて前記バナー広告を希望する企業から追加料金を徴集するステップを更に有することを特徴とする請求項１１記載のバナー広告の料金徴集方法を提供する。
発明を実施するための最良の形態
以下、本発明の各実施形態について図面を用いて説明する。
図１に、本発明の一実施形態のバナー広告方法の流れを示し、図２にバナー広告のシステム構成を示す。
このシステムは、インターネットなどのネットワーク２１と、このネットワークに接続されたユーザのパーソナルコンピュータ（ＰＣ）２２ａ，２２ｂ，２２ｃと、同様に上記ネットワーク２１に接続されたＷＷＷサーバ２３、バナーサイト２４ａ，２４ｂ、バナープロバイダサーバ２５及びこの端末に接続された入金サイトデータベース２６から成る。
図２では、これらのユーザＰＣ、ＷＷＷサーバ及びバナーサイトを、簡単の為に数台しか示していないが、実際にはもっと多くの台数がネットワークに接続されている。
ユーザＰＣ２２ａ，２２ｂ，２２ｃは通常のパソコンであり、インターネットなどにアクセスし、インターネット・エクスプローラやネットスケープ・ナビゲータなどのブラウザにより、ホームページなどが閲覧可能なように設定されている。
ＷＷＷサーバ２３は、所定のホームページを開設しているサーバであり、このホームページには図３に示すように、Ａバナー３１ａ、Ｂバナー３１ｂ、Ｃバナー３１ｃ、Ｄバナー３１ｄ、Ｅバナー３１ｅの各バナー広告が設けられている。これらのバナー広告をクリックすると、それぞれバナーサイト２４ａ，２４ｂ，２４ｃ，２３ｄ，２４ｅの指定したページを表示するようになっている。
バナープロバイダサーバ２５は、バナープロバイダが各広告希望企業やサイト運営企業と連絡を取るときに用いられ、各広告希望企業からの料金の入金はこれに接続されている入金サイトＤＢ２６に記憶されている。
まず図１のステップＳ１１において現存のクリックしたカウント数をロードする。最初は初期値のカウント数がロードされ、ステップＳ１２においてこの初期値のカウント数に応じた画像サイズのバナー広告を読み込み、ステップＳ１３でそのバナー広告を表示する。
例えば図３に示すように各バナー広告の幅をａ，ｂ，ｃ，ｄとすると、最初はａ＝ｂ＝ｃ＝ｄ＝ｅ　であり、これらのバナー広告は同じ大きさで表示される。
次に、ステップＳ１４においてそのバナー広告がクリックされたかを検知する。クリックが検知されないときには、ステップＳ１５に移り、再ロード待ちになるが、当該バナー広告がクリックされると、ステップＳ１６に移りカウント数を加算する。その後ステップＳ１７に移り、画像サイズを拡大してステップＳ１５に移り、再ロード待ちとなる。
なお、ステップＳ１４においてバナー広告がクリックされなかったとき、そのバナー広告を縮小し、バナー広告がクリックされたときには、画像サイズを変えないようにすることもできる。
例えば、Ｃバナー３１ｃが何回かクリックされたとすると、図３に示すように、このバナー広告３１ｃが大きくなる。したがってバナー広告の幅ｃ＞ａ＝ｂ＝ｃとなる。
一般に、これらのバナー広告の幅の合計が一定とすると、次の条件が成り立つ。
ａ＋ｂ＋ｃ＋ｄ＋ｅ＝１００％
クリック数をＣｎ、拡大係数をｋとして、クリックする対象のバナーの拡大率Ｚ％を次のように定義する。
Ｚ＝（Ｃｎ×ｋ）
すると、そのクリックされたバナー広告の現在の幅をＷｃとして、拡大されたバナーサイズＷｔは次式により表される。
Ｗｔ＝Ｗｃ＋Ｚ
したがって、バナー広告の総数をｎとして上記以外のバナー広告のサイズＷ（ｎ）は次式の大きさとなる。
Ｗ（ｎ）＝Ｗｃ（ｎ）−Ｚ／（ｎ−１）
すなわち、他のバナー広告は一様に小さくなる。
図２において、ユーザがユーザＰＣ２２ａ，２２ｂ，２２ｃから、ＷＷＷサーバ２３のあるホームページ（図３）にアクセスし、Ｃバナー３１ｃを多くクリックするとする。バナーサイト２４ｃに行くユーザが多くいることになり、このとき図３に示すようにＣバナー３１ｃが大きくなり、他のバナー広告３１ａ，３１ｂ，３１ｄ，３１ｅが相対的に小さくなる。
本発明のこの実施形態によれば、バナー広告のクリック回数が増えることにより、バナー広告が大きくなるので、ユーザに対する訴求力を大きくすることができる。上記では、１つのバナー広告のみクリック数が増加する場合について説明したが、実際には複数のバナー広告がクリック数を増やしていくので、比較的クリック数の少ないバナー広告が相対的に小さくなっていくことになる。このようにバナー広告の大きさが小さくなった場合には２つの処置の仕方がある。１つは、バナープロバイダから小さくなったバナー広告の企業に通知し、そのバナー広告を他の新しい企業によるバナー広告に変える方法である。この方法によれば、常にクリック数の多いバナー広告のみを載せておくことになり、バナー広告を含むホームページなどを常に活性化できる利点がある。
バナー広告の大きさが小さくなった場合の処置の他の方法は、バナープロバイダから当該企業に通知して、バナー広告の大きさを維持したければ、追加料金を求めることである。他のバナー広告の面積をそのままにしておく場合にはこのバナー面積増加分をどうするか考慮が必要であるが、バナープロバイダとしては、広告企業から追加料金を徴収できる利点がある。
本発明のこの実施形態における、お金の流れを図４に示す。まず、バナー広告を行いたい企業４１は、ステップＳ４１でバナープロバイダ４２に所定の大きさのバナー広告を行う場合の基本料金を支払う。このような広告希望企業は通常複数ある。
バナープロバイダ４２はステップＳ４２で、これら企業からの広告希望をまとめた全体として必要なバナー広告の総面積を算出し、ホームページのサイト運営企業４３にバナー広告の総面積に応じた料金を納付する。
バナー広告がクリックされると、そのクリック情報がステップＳ４３でサイト運営企業４３から、バナープロバイダ４２に通知され、そのクリック数がステップＳ４４で各広告希望企業４１に通知される。
また、ステップＳ４５では、サイズ情報が同様にバナープロバイダ４２に通知され、ステップＳ４６で広告希望企業に通知される。そして、その通知に対して断りのない限り、当該企業４１は、通知されたバナーサイズに応じた追加料金をバナープロバイダ４２に納付する（ステップＳ４７）。これに応じてバナープロバイダ４２は、サイズ情報をステップＳ４８でサイト運営企業４３に通知する。
この実施形態によれば、バナープロバイダ４３は、バナー広告のサイズを大きくすることによって広告希望企業４１から追加料金を徴収できる利点がある。
上記実施形態では、クリック数の増加に応じて、バナー広告のサイズを大きくした。しかし、ユーザに対する訴求力を増すには大きくする以外にも種々の方法がある。
次に、クリック数の増加に応じてバナー広告の枠を変える本発明の第２の実施形態について説明する。
図５にこの実施形態の表示例を示す。上述の実施形態のようにクリック数の増加に応じてバナー広告の枠を通常の一重枠から二重枠、更に三重枠に変えていく。
即ち、図５では最初は全てがＡバナー５１ａに示すようにバナー広告は一重の枠に囲まれている。ところが、バナー広告のクリック数が増えると、まずＥバナー５１ｅに示すようにバナー広告は二重の枠に囲まれる。次に更にクリック数が増すとＣバナー広告５１ｃに示すように三重の枠に囲まれる。
一方、相対的にクリック数が少ないバナー広告は、まずＤバナー５１ｄに示すように点線の枠で囲まれる。更にクリック数が少ないと、Ｂバナー５１ｂに示すようにバナー広告は枠のない状態となる。
この実施形態のように、枠の種類によってユーザへの訴求力に変化を付ける場合には、単に枠の種類を変えるだけでよく、容易に変更可能である利点がある。
また本発明では、バナー広告の画像の種類を変えることによりユーザへの訴求力を変化させることもできる。図６では明確にはわからないが、クリック数が増加したＣバナー６１ｃを例えば動画ＧＩＦの表示とし、他のクリック数が少ないバナー広告の静止画表示と差別化することができる。更に細かく分ける場合には、例えば、クリック数が増える程、動画像とし、クリック数が少ないバナー広告程、画質の粗い静止画とすることができる。
この実施形態のブラウザにおける表示例を図７に示す。即ち、クリック数の少ないａバナー７１ａは静止画で表示されているが、クリック数が多いｂバナー７１ｂはＧＩＦの動画で、また同様にクリック数の多いｃバナー７１ｃはＱｕｉｃｋ　Ｔｉｍｅの動画で表示される。動画としては、この他Ｓｈｏｃｋ　Ｗａｖｅなどもあり、これらの限られず動画が表示できるものであればいずれでもよい。
この実施形態によれば、上述の実施形態よりもユーザに対する訴求力の差は大きくなる利点がある。
上述の実施形態では、各バナー広告の位置は不変であったがクリック数の変化に応じてバナー広告の位置を変えるようにすることもできる。図８にこの種の本発明の他の実施形態を示す。一般に最初に現われる最上段の位置がもっとも人目につきやすい。
したがって、最初Ａバナー，Ｂバナー，Ｃバナー，Ｄバナー，Ｅバナーの順に配置されていたとしても、例えばＣバナー広告のクリック数が最も多く以下、Ｂバナー、Ｄバナー、Ｅバナー、Ａバナーの順になったとすると、図８に示すように、最も上にＣバナー８１ｃが配置され以下Ｂバナー８１ｂ、Ｄバナー８１ｄ、Ｅバナー８１ｅ、Ａバナー８１ａの順（矢印８２）に各バナー広告が配置されることになる。
この実施形態では、クリック数が多いほど上段に表示したが、クリック数が多いほど左から右へあるいは、右から左へ、即ち端の方に表示するようにすることもできる。
このようにクリック数に応じてバナー広告の位置を変えるようにすれば、バナー広告自体を変えることなくユーザへの訴求力を簡単に変えることができる利点がある。
産業上の利用可能性
以上説明したように、本発明によれば、ユーザが関心あるバナー広告程、訴求力が増加するバナー広告の表示方法などを得ることができる。
【図面の簡単な説明】
図１は、本発明のバナー広告の表示方法の一実施形態の工程を説明するための図である。
図２は、本発明のバナー広告の表示システムの構成例を示す図である。
図３は、本発明のバナー広告の表示方法の他の実施形態を説明するための図である。
図４は、本発明のバナー広告の料金徴集方法を説明する為の図である。
図５は、本発明のバナー広告の表示方法の更に他の実施形態を説明するための図である。
図６は、本発明のバナー広告の表示方法の他の実施形態を説明するための図である。
図７は、本発明のバナー広告の表示方法の他の実施形態を説明するための図である。
図８は、本発明のバナー広告の表示方法の他の実施形態を説明するための図である。
【図１】
2002027574.tif 000003
【図２】
2002027574.tif 000004
【図３】
2002027574.tif 000005
【図４】
2002027574.tif 000006
【図５】
2002027574.tif 000007
【図６】
2002027574.tif 000008
【図７】
2002027574.tif 000009
【図８】
2002027574.tif 000010
【国際調査報告】
2002027574.tif 000011
2002027574.tif 000012
2002027574.tif 000013
2002027574.tif 000014
2002027574.tif 000015
2002027574.tif 000016